(57)【要約】【課題】通常のアイウエアに取り付け可能であり、ユーザに自然にアイウエアを使用させながら生体信号を適切に取得、又は処理する。【解決手段】ノーズパッドは、アイウエアに取り付け可能な取付構造と、ノーズパッドの表面に設けられる２つの電極と、ノーズパッドの内部に設けられる、バッテリ、プロセッサ、アナログデジタル変換器、及び通信デバイスを含む基板と、を備える。【選択図】図２
2020089430.tif 000002
【特許請求の範囲】
【請求項１】
ノーズパッドであって、
アイウエアに取り付け可能な取付構造と、
前記ノーズパッドの表面に設けられる２つの電極と、
前記ノーズパッドの内部に設けられる、バッテリ、プロセッサ、アナログデジタル変換器、及び通信デバイスを含む基板と、
を備えるノーズパッド。
【請求項２】
前記基板は、
一の面に、前記バッテリ、前記プロセッサ、前記アナログデジタル変換器、及び前記通信デバイスが設けられ、
他の面に、前記２つの電極が設けられる、請求項１に記載のノーズパッド。
【請求項３】
前記一の面に、加速度センサがさらに設けられる、請求項２に記載のノーズパッド。
【請求項４】
前記取付構造は、前記アイウエアに取り付けられた前記ノーズパッドを回転自在にする回転機構を有し、
前記加速度センサは、前記回転機構に隣接する位置に設けられる、請求項３に記載のノーズパッド。
【請求項５】
前記回転機構は、１つの回転軸を有する機構である、請求項４に記載のノーズパッド。
【請求項６】
前記２つの電極が設けられる表面に、前記バッテリに給電する端子が設けられる、請求項１乃至５いずれか一項に記載のノーズパッド。
【請求項７】
フレームと、前記フレームに取り付けられるノーズパッドとを備えるアイウエアであって、
前記ノーズパッドは、
前記フレームに取り付け可能な取付構造と、
前記ノーズパッドの表面に設けられる２つの電極と、
前記ノーズパッドの内部に設けられる、バッテリ、プロセッサ、アナログデジタル変換器、及び通信デバイスを含む基板と、
を備える、アイウエア。
【発明の詳細な説明】
【技術分野】
【０００１】
本発明は、ノーズパッド及びアイウエアに関する。
【背景技術】
【０００２】
従来、アイウエアの所定位置に電極を設け、生体信号を取得する技術が知られている。例えば、眉間電極及び鼻電極を有する人体特性検出装置を、アイウエアのブリッジ部分に着脱可能に取り付ける技術がある（特許文献１参照）。
【先行技術文献】
【特許文献】
【０００３】
【特許文献１】国際公開第２０１６／０５２１６８号
【発明の概要】
【発明が解決しようとする課題】
【０００４】
しかしながら、ブリッジに人体特性検出装置を取り付ける場合、この人体特性検出装置は特別な装置であるため、眼電位を取得していることが他人に認識可能であり、アイウエアを自然に使用しているとは言えなかった。
【０００５】
そこで、本発明は、通常のアイウエアに取り付け可能であり、ユーザに自然にアイウエアを使用させながら生体信号を適切に取得、又は処理することを可能にするノーズパッド及びアイウエアを提供することを目的とする。
【課題を解決するための手段】
【０００６】
本発明の一態様におけるノーズパッドは、ノーズパッドであって、アイウエアに取り付け可能な取付構造と、前記ノーズパッドの表面に設けられる２つの電極と、前記ノーズパッドの内部に設けられる、バッテリ、プロセッサ、アナログデジタル変換器、及び通信デバイスを含む基板と、を備える。
【発明の効果】
【０００７】
本発明によれば、通常のアイウエアに取り付け可能であり、ユーザに自然にアイウエアを使用させながら生体信号を適切に取得することがノーズパッド及びアイウエアを提供することが可能になる。
【図面の簡単な説明】
【０００８】
【図１】実施形態に係るアイウエアの前方からの一例を示す斜視図である。
【図２】実施形態に係るノーズパッドの一例を示す図である。
【図３】実施形態に係るノーズパッド１４４及びクリングス側の取付構造（その１）の一例を示す図である。
【図４】実施形態に係るノーズパッド１４４及びクリングス側の取付構造（その２）の一例を示す図である。
【図５】実施形態に係る給電端子の位置を示す図である。
【発明を実施するための形態】
【０００９】
以下、図面を参照して本発明の実施の形態を詳細に説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１０】
［実施形態］
＜アイウエア＞
図１は、実施形態に係るアイウエア１００の前方からの一例を示す斜視図である。図１に示すように、アイウエア１００は、例えばメガネであり、一対のレンズ１１０と、フレーム１２０とを備えている。なお、本実施の形態では、レンズ１１０を一対のものとして説明するが、必ずしも一対である必要がない。また、本実施の形態では、レンズ１１０をアイウエア１００の構成として説明するが、レンズ１１０自体は、必ずしもアイウエア１００に必要な構成ではない。
【００１１】
フレーム１２０は、例えば、フロント１４０と、フロント１４０の左右側の両端に回転可能に連結されている一対のテンプル１３２と、一対のテンプル１３２の後方側に取り付けられている一対のモダン１３０とを備えている。また、フレーム１２０は、一対のレンズ１１０を保持するとともに、使用者の目および頭部に対してレンズ１１０およびフロント１４０を適切な姿勢に保持する。
【００１２】
フロント１４０は、一対のレンズ１１０を支持する。テンプル１３２は、モダン１３０とともに使用者の側頭部を押圧して、この部位を挟持する。また、モダン１３０は、使用者の耳の上部および後方に接触して、アイウエア１００の落下を防止する。なお、モダン１３０は、必ずしもアイウエア１００に必要な構成ではない。
【００１３】
以下の説明では、便宜上のために、図１に示すフロント１４０の長手方向を第２方向の一例である「左右方向」とする。また、アイウエア１００が着用される際に、使用者から見た左側（図１の右側）を「左側」とし、使用者から見た右側（図１の左側）を「右側」とする。さらに、フロント１４０の短手方向を第１方向の一例である「上下方向」とし、フロント１４０の厚み方向を「前後方向」とする。
【００１４】
なお、本実施形態が適用されるアイウエア１００は、後述する眉間部（ブリッジ）１４２を中心として左右対称に形成されている。このため、以下の説明では、左右対称の構成について左右を区別せず、図面の何れかの一方側にある構成にのみ符号を付して説明する。
【００１５】
フロント１４０は、例えば、左右方向に沿って伸びる板状構成であり、使用者の顔面に沿うように前方に突出するように湾曲している。また、フロント１４０は、中央にある眉間部１４２と、眉間部１４２の裏面の左右両側に取り付けられている一対のノーズパッド１４４と、眉間部１４２の左右両端に形成されている一対のリム１４６と、一対のリム１４６の各端部に形成されている一対のヨロイ（不図示）と、一対のヨロイの裏面に取り付けられている一対の第１丁番部分（不図示）とを有している。
【００１６】
眉間部１４２は、フロント１４０（アイウエア１００）の左部分および右部分を繋ぐ。また、眉間部１４２は、例えば、湾曲した板状部材であり、樹脂等によって形成されている。
【００１７】
ノーズパッド１４４は、使用者の鼻を両脇から挟むことでフロント１４０を支持し、このフロント１４０の使用者の目に対する高さ等を維持する。また、ノーズパッド１４４は、例えば、樹脂のパッド部および金属の支持部を有するクリングスタイプの一部である。なお、パッド部および支持部の変形によって、フロント１４０が使用者の鼻および目に対する姿勢（例えば、角膜頂点間距離）を微調整することが可能になる。
【００１８】
また、本実施形態に係るノーズパッド１４４は、支持部とパッド部とを着脱可能にしてあり、または、支持部とフロントとを着脱可能にしてあり、支持部、及び／又は、パッド部に取付構造を有する。また、図２以降で後述するように、パッド部の表面に少なくとも２つの電極を有しており、パッド部内部（完全に樹脂で覆われているか否かは問わない）に生体信号を処理する処理部を有する。
【００１９】
リム１４６は、レンズ１１０を保持する。また、リム１４６は、例えば、レンズ１１０の形状を沿うように形成されているリング状部材であり、樹脂等によって形成されている。
【００２０】
ヨロイ（不図示）には、第１丁番部分（不図示）が形成されている。また、ヨロイは、例えば、湾曲した板状部材であり、樹脂等によって形成されている。
【００２１】
第１丁番部分は、連結部の一例として機能し、テンプル１３２側に形成されている板状形状を有する第２丁番部分（不図示）と組み合わせることで、テンプル１３２をフロント１４０に対して回転可能に連結している。すなわち、第１丁番部分と第２丁番部分とは、丁番を構成している。
【００２２】
テンプル１３２は、側頭部にフィットするように湾曲しているＬ字状の部材である。また、テンプル１３２は、フロント１４０と挟む角度が最も小さい折畳位置からこのフロント１４０と挟む角度が最も大きい開き位置までの範囲において回転可能に連結されている。
【００２３】
＜ノーズパッド＞
図２は、実施形態に係るノーズパッドの一例を示す図である。図２（Ａ）は、ＸＺ平面におけるノーズパッド１４４の断面図を示し、図２（Ｂ）は、ＹＺ平面におけるノーズパッド１４４の表面図を示す。なお、図２に示すノーズパッド１４４を右側のノーズパッド１４４とした場合、Ｘ方向は、左右方向の左側を示し、Ｚ方向は、上下方向の上方を示し、Ｙ方向は、前後方向の後方を示す。
【００２４】
図２（Ａ）に示すように、ノーズパッド１４４は、鼻の皮膚に接触する面に、少なくとも第１電極１５２及び第２電極１５４を有する。限定ではなく例として、２つの電極の中心間の距離は１２ｍｍ、各電極の直径は３ｍｍである。また、一例として、ノーズパッド１４４のサイズは、例えば、Ｚ方向に１５ｍｍ、Ｙ方向に５ｍｍである。
【００２５】
第１電極１５２及び第２電極１５４は、樹脂１７０に覆われておらず、鼻の皮膚に直接接触することで、使用者の右眼の眼電位を検出する。このように、眼電位を検出するための電極を、使用者の皮膚に必然的に接触するノーズパッド１４４の表面に設ける。これにより、使用者の眼の上下に二対の電極を接触させるのに比べて、使用者の皮膚に与える負担を軽減することができる。なお、第１電極１５２及び第２電極１５４は、鼻の筋電位や脳波を検出してもよい。
【００２６】
実施形態において、左側のノーズパッドにも同様に第３電極、及び第４電極が設けられる場合、例えば、第１電極１５２及び第３電極を接地電極（グランド）としてもよい。また、接地電極により検知される値は、ほぼゼロである。眼電位の検出目的に応じて、右側の第１電極１５２の第１電位と、右側の第２電極１５４の第２電位との差分値を用いたり、平均値を用いたりする。各電極により検知された眼電位信号は、処理デバイス１６６に出力される。
【００２７】
また、図２には、図示していないが、ノーズパッド１４４は、アイウエア１００に取り付け可能な取付構造を有する。例えば、取付構造は、アイウエア１００の眉間部１４２、又は眉間部１４２に取り付けられた支持部（例えば金属製の棒状部材）に設けられ、ノーズパッド１４４を取付可能及び取り外し可能であれば、取付構造はいずれの構造であってもよい。また、アイウエア１００に取り付け可能な取付構造とは、ノーズパッド１４４に対して着脱可能な支持部への取付構造や、アイウエア１００に対して着脱可能な支持部自体を含む。
【００２８】
例えば、後述する図３及び図４に示すように、ノーズパッド１４４がクリングスタイプの場合、ノーズパッド１４４の取付構造には、ねじを通すねじ孔があり、クリングス構造のボックス部にノーズパッド１４４の取付構造部分が挿入される。そして、ボックス部に設けられた２つのねじ孔と、取付構造のねじ孔とを貫通させるようにしてねじが通され、ねじが回されることでノーズパッド１４４とクリングス構造のボックス部とが固定される。
【００２９】
また、別の取付構造として、アイウエア１００及び支持部、あるいは、支持部及びノーズパッド１４４が特定の関係（位置関係）を満たした場合に、各取付構造は、ノーズパッド１４４が容易に取り外せない構造を含んでもよい。具体例としては、各取付構造は、レールを設けて、任意のモジュールを摺動して各取付構造に取り付ける摺動構造でもよいし、軸を孔に嵌合して取り付ける嵌合構造でもよいし、係止構造でもよいし、ねじ孔を設けて、ねじ止めする構造でもよいし、マジックテープ（登録商標）のような粘着、接着性を用いて取り付ける取付構造であってもよい。上記で説明した取付構造は、ノーズパッド１４４の一部に設けられるような小型の取付構造である。
【００３０】
また、樹脂製フレームのようにノーズパッド一体型のアイウエアがある。このアイウエアの場合、フレームと一体化されたノーズパッドの表面に、ノーズパッド１４４を粘着させて取り付けることが可能である。
【００３１】
ノーズパッド１４４の内部には、処理部が設けられる。処理部は、加速度センサ１６２と、バッテリ１６４と、プロセッサ、アナログデジタル変換器、及び通信デバイスを含む処理デバイス１６６とを含む基板１６０を備える。基板１６０は、各部と導通している電子回路基板である。また、処理部は、微弱な眼電位を増幅する増幅部（不図示）を備えてもよい。
【００３２】
加速度センサ１６２は、例えば３軸加速度センサである。また、加速度センサ１６２は、検出したセンサ信号を処理デバイス１６６に出力する。
【００３３】
処理デバイス１６６が増幅部を含む場合、処理デバイス１６６は、増幅部から増幅された眼電位信号を取得し、処理してもよいし、電極から眼電位信号を取得して処理してもよい。例えば、アナログデジタル変換器は、各電極で検知された眼電位信号をデジタル信号に変換し、増幅部に出力してもよいし、増幅部により増幅された眼電位信号をデジタル信号に変換してもよい。
【００３４】
処理デバイス１６６内のプロセッサは、第１電極１５２を基準とした第２電極１５４の電位を示す基準眼電位信号を処理してもよい。このとき、処理デバイス１６６内のプロセッサは、右眼又は左眼において、各電極から検出された眼電位に基づいて、眼の垂直方向の動きを示す信号を生成するように処理を行ってもよい。
【００３５】
処理デバイス１６６内の通信デバイスは、プロセッサによって処理された各信号を外部装置に送信する。例えば、通信デバイスは、Ｂｌｕｅｔｏｏｔｈ（登録商標）及び無線ＬＡＮ等の無線通信、又は有線通信によって各信号を外部装置に送信する。
【００３６】
外部装置は、通信機能を有する情報処理装置である。例えば、外部装置は、使用者が所持する携帯電話及びスマートフォン等の携帯通信端末やパーソナルコンピュータ等である。外部装置は、処理デバイス１６６に含まれる通信デバイスから受信した眼電位に関する信号に基づく処理を実行する。例えば、外部装置は、受信した眼電位に関する信号から、瞬目や視線移動を検出する。
【００３７】
また、外部装置は、左右のノーズパッドそれぞれから、加速度センサ１６２の加速度データを取得する場合、２つの加速度データの平均値を用いればよい。
【００３８】
バッテリ１６４は、加速度センサ１６２、及び処理デバイス１６６に電力を供給する。バッテリ１６４は、充電式のバッテリが好適である。
【００３９】
図２（Ｂ）に示すように、ノーズパッド１４４の表面は、樹脂１７０で覆われているが、第１電極１５２及び第２電極１５４は皮膚に直接接触するようにするため、樹脂１７０で覆われていない。
【００４０】
また、ノーズパッド１４４の内部に含まれる基板１６０の両面に部品が配設される。例えば、基板１６０の一面に、加速度センサ１６２と、バッテリ１６４と、処理デバイス１６６とを設け、他の面に、２つの電極１５２、１５４を設ける。これにより、ノーズパッド１４４の小型化が可能になる。
【００４１】
《回転機構（その１）》
図３は、実施形態に係るノーズパッド１４４及びクリングス側の取付構造（その１）の一例を示す図である。図３に示す例では、一般的なクリングスタイプの取付構造が示される。図３に示すノーズパッド１４４は、電極１５２等とは反対側の面に取付構造１８０Ａを含み、取付構造１８０Ａは、回転機構を構成するねじ孔１８６Ｂを有する。
【００４２】
クリングス側の取付構造１８０Ｂは、支持部１８２と、支持部１８２に連結されたボックス部１８４とを含み、ボックス部１８４は、ねじ孔１８６Ａ及び１８６Ｃを有する。ここで、ねじ孔について、ねじ孔１８６Ａ及び１８６Ｂの直径は、ねじ１８８のねじ径１８８Ａよりも大きく、さらにねじ孔１８６Ｃの直径よりも大きい。ねじ孔１８６Ｃの直径は、ねじ径１８８Ａとほぼ同じである。なお、ねじ１８８は、ねじ孔１８６Ｃで固定される。図３に示すように、Ａ１方向のノーズパッド１４４の可動は、ねじ軸周りで許容され、Ａ２方向のノーズパッド１４４の可動は、ねじ孔１８６Ａ及び１８６Ｂの直径がねじ径１８８Ａよりも大きいことによって発生する動き（ガタつき）で許容される。
【００４３】
加速度センサ１６２は、回転機構を構成するねじ孔１８６Ｂに隣接する位置に設けられる。図３に示す例では、加速度センサ１６２は、ノーズパッド１４４の内部のうち、Ｚ方向の中央部に設けられる。これにより、ねじ孔１８６Ｂに隣接する位置（好ましくは、基板１６０における位置で、ねじ孔１８６Ｂから最短距離にある位置）に加速度センサ１６２が設けられることで、ノーズパッド１４４の回転による振動の影響を軽減することができる。
【００４４】
《回転機構（その２）》
図４は、実施形態に係るノーズパッド１４４及びクリングス側の取付構造（その２）の一例を示す図である。図４に示す例では、一般的なクリングスタイプの取付構造が示される。図４に示すノーズパッド１４４は、電極１５２等とは反対側の面に取付構造１９０Ａを含み、取付構造１９０Ａは、回転機構を構成するねじ孔１９２Ｂを有する。
【００４５】
クリングス側の取付構造１９０Ｂは、支持部１８２と、支持部１８２に連結されたボックス部１８４とを含み、ボックス部１８４は、ねじ孔１９２Ａ及び１９２Ｃを有する。ここで、ねじ孔について、ねじ孔１９２Ａ及び１９２Ｃの直系は、ねじ１８８のねじ径１８８Ａとほぼ同じである。ねじ孔１９２Ｂの直径は、ねじ径１８８Ａよりも若干大きく、又はほぼ同じである。なお、ねじ１８８は、少なくともねじ孔１９２Ａ及び１９２Ｃで固定される。図４に示すように、Ａ１方向のノーズパッド１４４の可動は、ねじ軸周りで許容されるが、その他の方向には回転しない。
【００４６】
加速度センサ１６２は、回転機構を構成するねじ孔１９２Ｂに隣接する位置に設けられる。図４に示す例では、加速度センサ１６２は、ノーズパッド１４４内部のうち、Ｚ方向の中央部に設けられる。これにより、上下方向の鼻の表面に沿って回転する回転機構（ねじ孔１９２Ｂの軸方向）に隣接する位置（好ましくは、基板１６０における位置で、ねじ孔１９２Ｂから最短距離にある位置）に加速度センサ１６２が設けられることで、ノーズパッド１４４の回転による振動の影響をさらに軽減することができる。
【００４７】
《給電端子》
図５は、実施形態に係る給電端子の位置を示す図である。バッテリ１６４は、充電式のバッテリであるとする。このとき、バッテリ１６４に電力を供給するための給電用の端子が必要になるが、図５に示す例では、電極側の表面に、２つの給電端子２００が設けられる。これにより、ノーズパッド１４４がアイウエア１００に取り付けられた状態でも、支持部などの位置に関係なく、給電端子を介してバッテリ１６４の充電を行うことができるようになる。
【００４８】
以上、実施形態によれば、通常のアイウエアに取り付け可能であり、ユーザに自然にアイウエアを使用させながら生体信号を適切に取得、又は処理することが可能なノーズパッド及びアイウエアを提供することが可能になる。また、従来技術では、検出装置を取り付けるアイウエアのフレームは専用品であったため、市販の通常のアイウエアに比べてデザインに制約があったが、上記実施形態によれば、フレームデザインに制約を受けず、また、ファッション性を維持しつつ、装着者は気軽に実施形態に係るアイウエアを着用することが可能になる。また、専用品としてのフレームを用意する必要が無いため、ノーズパッドのみを製品として流通させることが可能となり、製造及び流通コストの効率化を図ることが可能になる。
【００４９】
また、上述したノーズパッドによれば、ノーズパッド、クリングス、眉間の参照電極などをそれぞれ調整する場合に比べて、調整しなくてはならない部分をノーズパッドの１か所に集めることができる。また、小型化されたノーズパッドに電極やプロセッサなどを組み込み、後付け可能な部品とすることで、既に市販されたアイウエアにも取り付けることが可能になる。また、アイウエアの観点では、見た目にも自然な使用を行うことを可能にしつつ、眼電位信号などの生体信号を適切に取得、又は処理することができる。
【００５０】
＜変形例＞
上述した増幅部は、眼電位信号を演算する処理部を有していれば、増幅する前又は増幅した後の各眼電位信号のサンプリング値に対する、上述した差分値又は平均値を求めるための演算処理を行ってもよい。増幅部により増幅された信号又は処理された信号は、プロセッサに出力される。
【００５１】
ここで、上述した眼電位信号に関する処理は、各電極が鼻に適切に接触していることを前提としている。しかし、アイウエア１００の装着具合によって、１以上の電極が鼻に非接触又は接触不良となっていることがある。特に、上端部の第１電極１５２が接地電極となる場合、この第１電極１５２が非接触又は接触不良となると、適切な眼電位信号が取得できない。そこで、上端部の電極の一部が鼻と非接触又は接触不良であっても、適切に眼電位を取得することが可能なように、左右の電極を結線する。
【００５２】
例えば、物理的な構成を用いることにより、上端部の電極の一部が鼻と非接触又は接触不良であっても、適切に眼電位を取得可能にする。例えば、上端部の電極同士を結線（電気的に接続）することで、鼻に接触している側の電極の電位を、両上端部の電極の基準電位として共通で用いることができる構成を採用する。例えば、ブリッジと左右の支持部内に、予め結線用の部材を通しておき、左右のノーズパッド１４４を支持部に取り付けた際に、各ノーズパッド１４４の上部の電極が結線されるようにする。結線用の部材は、例えば、金属の電線などである。また、部材は、支持部やフレーム内を通すことで、外部に視認できないようになる。
【００５３】
これにより、左右のノーズパッドの１対の電極同士が導通しているため、一方が適切に鼻に接触していれば、それを基準電位として、処理デバイス１６６のプロセッサ等は、両電極で共通して基準電位を用いることができる。
【００５４】
また、左右のノーズパッドの各電極を用いて導通させることで、接触対象の鼻に対して２つの方向から接触を図ることができ、少なくともいずれか一方で適切に鼻に接触させる可能性を高めることができる。
【００５５】
また、左右のノーズパッドの参照電位を結線することにより、左右の電位差を取ることができるようになるので、左右の視線移動を取得することも可能になる。なお、左右のノーズパッドの一対の電極が結線されていなくても、左右それぞれの眼電位信号を受信した外部装置によって、視線移動を検出することも可能である。
【００５６】
上記実施形態では、ノーズパッド１４４内に加速度センサ１６２を設けていたが、加速度センサ１６２は必ずしも必要な構成ではない。例えば、簡易バージョンとして、バッテリ１６４と処理デバイス１６６とを含む基板１６０をノーズパッド１４４に設けるようにしてもよい。
【００５７】
以上、本発明について各実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００５８】
１００  アイウエア
１２０  フレーム
１４２  眉間部
１４４  ノーズパッド
１５２  第１電極
１５４  第２電極
１６０  基板
１６２  加速度センサ
１６４  バッテリ
１６６  処理デバイス
１７０  樹脂
１８０、１９０  取付構造
１８２  支持部
１８４  ボックス部
２００  給電端子
【図１】
2020089430.tif 000003
【図２】
2020089430.tif 000004
【図３】
2020089430.tif 000005
【図４】
2020089430.tif 000006
【図５】
2020089430.tif 000007